【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
建築構造体に押し付けられる横方向力に抵抗するための隔壁における、該隔壁の構造用パネルと該構造用パネルを支持する枠組部材との間の改良された機械式接続体であって、該改良された機械式接続体は、
ａ．  遠位側、近位側および複数個の縁面を有している前記構造用パネル、
ｂ．  前記縁面の近くの前記構造用パネルの前記近位側に一致して配置されている前記複数個の枠組部材、
ｃ．  前記構造用パネルを前記枠組部材に接続する複数個の周囲固着具であって、前記枠組部材の少なくとも２個が前記複数個の周囲固着具と共に前記パネルに接続されることからなる複数個の周囲固着具、および
ｄ．  実質的な数の前記周囲固着具に取り付けられた該周囲固着具の曲げを低減するための手段であって、前記横方向力が前記建築構造体に押し付けられるとき作用する前記周囲固着具の曲げを低減するための手段、
を包含する機械式接続体。
【請求項２】
請求項１に記載の接続体において、
前記周囲固着具の曲げを低減する前記手段が個々の実質的にＵ字形のクリップからなり、該実質的にＵ字形のクリップは、中央部材と該中央部材から延在しているフランジとを有し、前記Ｕ字形のクリップの各々が前記周囲固着具の１つにより穴の開けられた前記フランジを有している接続体。
【請求項３】
請求項１に記載の接続体において、
前記周囲固着具の曲げを低減するための前記手段が周囲縁取り部材からなり、該周囲縁取り部材が実質的に全ての前記周囲固着具により穴を開けられ、そして、前記周囲縁取り部材が前記構造用パネルの前記縁面近くに配置されている接続体。
【請求項４】
請求項３に記載の接続体において、
前記周囲縁取り部材は複数個の周囲縁取り部材に分割されており、各々が複数個の前記周囲固着具により穴を開けられている接続体。
【請求項５】
請求項４に記載の接続体において、
前記周囲縁取り部材は、細長い部材として、第１の面部材を備えている接続体。
【請求項６】
請求項５に記載の接続体において、
前記第１の面部材は、前記構造用パネルの前記近位側と前記構造用パネルの前記縁面近くの前記枠組部材との間に配置されている接続体。
【請求項７】
請求項５に記載の接続体において、
前記第１の面部材は、前記構造用パネルの前記縁面近くの前記構造用パネルの前記遠位側に配置されている接続体。
【請求項８】
請求項５に記載の接続体において、
前記第１の面部材は、前記構造用パネルの前記縁面近くで前記構造用パネル内に配置されている接続体。
【請求項９】
請求項５に記載の接続体において、
前記周囲縁取り部材は、前記第１の面部材が前記構造用パネルの前記縁面近くで該構造用パネル内に配置された状態で、配置されており、また、付加的な前記周囲縁取り部材が、前記構造用パネルの前記縁面近くで前記構造用パネル内に更に配置されていることからなる機械式接続体。
【請求項１０】
請求項５に記載の接続体において、
前記周囲縁取り部材は、前記第１の面部材が前記構造用パネルの前記近位側と前記枠組部材との間にある状態で、配置されており、付加的な前記周囲縁取り部材は、前記第１の面部材が前記構造用パネルの前記縁面近くの前記構造用パネルの前記遠位側にある状態で配置されていることからなる機械式接続体。
【請求項１１】
請求項５に記載の接続体において、
前記周囲縁取り部材は、前記第１の面部材が前記構造用パネルの前記縁面近くで前記構造用パネル内に配置された状態で、配置されており、また、付加的な前記周囲縁取り部材は、前記第１の面部材が前記構造用パネルの前記縁面近くの前記構造用パネルの前記遠位側にある状態で、配置されていることからなる機械式接続体。
【請求項１２】
請求項５に記載の接続体において、
前記周囲縁取り部材は、前記第１の面部材が前記構造用パネルの前記縁面近くの前記構造用パネル内に配置された状態で、配置されており、また、付加的な前記周囲縁取り部材は、前記第１の面部材が前記枠組部材と前記構造用パネルの前記近位側との間にある状態で、配置されている接続体。
【請求項１３】
請求項４に記載の接続体において、
前記周囲縁取り部材は、細長い実質的にＵ字形の部材として形成されており、該細長い実質的にＵ字形の部材が中央部材を有し、該中央部材から第１のフランジおよび第２のフランジが延在していることからなる機械式接続体。
【請求項１４】
請求項１３に記載の接続体において、
前記Ｕ字形の部材の前記第１のフランジは前記枠組部材と前記構造用パネルの前記近位側との間に配置されており、前記第２のフランジは、前記縁面近くの前記構造用パネルの遠位側に配置されていることからなる機械式接続体。
【請求項１５】
請求項１３に記載の接続体において、
前記Ｕ字形の部材の前記第１のフランジは、前記縁面近くで、前記構造用パネル内に配置されており、前記Ｕ字形の部材の前記第２のフランジは、前記縁面近くで、前記構造用パネルの前記遠位側に配置されていることからなる機械式接続体。
【請求項１６】
請求項１３に記載の接続体において、
前記Ｕ字形の部材の前記第１のフランジは、前記枠組部材と前記構造用パネルの前記近位側との間に配置されており、前記第２のフランジは前記構造用パネル内に配置されていることからなる機械式接続体。
【請求項１７】
請求項１３に記載の接続体において、
前記Ｕ字形の部材の前記第１のフランジは、前記縁面近くで、前記構造用パネル内に配置されており、そして、前記第２のフランジも、前記縁面近くで、前記構造用パネル内に配置されていることからなる機械式接続体。
【請求項１８】
請求項１４から請求項１７までのいずれかの１項に記載の接続体において、
前記周囲固着具の各々が前記Ｕ字形の部材のうちの１つにより曲げられることを保護され、前記Ｕ字形の部材の１つの前記フランジの双方に穴を開けていることからなる機械式接続体。
【請求項１９】
周囲固着具および枠組部材とともに用いられて隔壁を建造する改良された構造用パネルであって、
遠位側、近位側および複数個の縁面を有している構造用パネルを包含し、該構造用パネルは前記周囲固着具の曲げを低減するための手段を備えており、前記周囲固着具の曲げを低減するための前記手段は前記構造用パネルの前記縁面近くに配置されている改良された構造用パネル。
【請求項２０】
建築構造体に押し付けられる横方向力に抵抗するための隔壁であって、該隔壁は、
ａ．  遠位側、近位側および複数個の縁面を有している構造用パネルと、
ｂ．  前記縁面近くで前記構造用パネルの前記近位側に一致して配置された前記枠体、
ｃ．  前記構造用パネルを前記枠体に接続する複数個の密に離隔された周囲固着具と、
ｄ．  実質的な数の前記周囲固着具に取り付けられた該周囲固着具の曲げを低減させるための手段であって、前記周囲固着具の曲げを低減させるための前記手段は、前記横方向力が前記建造構造体に押し付けられるときに作用する前記周囲固着具の曲げを低減させるための手段と、
を包含する隔壁。
【請求項２１】
建築構造体に押し付けられる横方向力に抵抗するための隔壁において、改良された機械式接続体が、
ａ．  遠位側、近位側および複数個の縁面を有している構造用パネル、
ｂ．  前記縁面の一方の近くの前記構造用パネルの前記近位側に一致して配置された第１の枠組部材および前記構造用パネルの前記縁面の異なった方の近くの前記構造用パネルの前記近位側に一致して配置された第２の枠組部材、
ｃ．  前記構造用パネルを前記枠組部材の各々に接続する複数個の周囲固着具、および
ｄ．  実質的な数の前記周囲固着具に取り付けられた前記周囲固着具の曲げを低減する手段であって、前記横方向力が前記建築構造体に押し付けられるとき作用する前記周囲固着具の曲げを低減する手段、
を包含する改良された機械式接続体。
【請求項２２】
建築構造体に押し付けられる横方向力に抵抗するための隔壁における改良された機械式接続体であって、該改良された機械式接続体は、
ａ．  遠位側、近位側および複数個の縁面を有している構造用パネル、
ｂ．  前記縁面の近くの前記構造用パネルの前記近位側に一致して配置された第１の枠組部材および前記構造用パネルの前記縁面の異なった一方の近くの前記構造用パネルの前記近位側に一致して配置されている第２の枠組部材、
ｃ．  前記構造用パネルを前記枠組部材の各々に接続する複数個の周囲固着具、および
ｄ．  前記周囲固着具の少なくとも１個に取り付けられた前記周囲固着具の曲げを低減する手段であって、前記横方向力が前記建築構造体に押し付けられるとき作用する前記周囲固着具の曲げを低減する手段、
を包含する機械式接続体。
【請求項２３】
建築構造体に押し付けられる横方向力に抵抗するための隔壁における改良された機械式接続体であって、
ａ．  遠位側、近位側および複数個の縁面を有している構造用パネル、
ｂ．  前記縁面の近くの前記構造用パネルの前記近位側に一致して配置された第１の枠組部材および前記構造用パネルの前記縁面の異なった一方の近くの前記構造用パネルの前記近位側に一致して配置されている第２の枠組部材であって、各々が２つの端部を有する第１および第２の枠組部材、
ｃ．  前記構造用パネルを前記枠組部材の各々に接続する複数個の周囲固着具、および
ｄ．  前記枠組部材の一方の前記端部の一方の近くに位置された前記周囲固着具の複数個に取り付けられた前記周囲固着具の曲げを低減する手段であって、前記横方向力が前記建築構造体に押し付けられるとき作用する前記周囲固着具の曲げを低減する手段、
を包含する機械式接続体。
【請求項２４】
建築構造体に押し付けられる横方向力に抵抗するための隔壁における改良された機械式接続体であって、
ａ．  各々が遠位側、近位側および複数個の縁面を有している１個またはそれ以上の構造用パネル、
ｂ．  前記１個またはそれ以上の前記構造用パネルの各々の前記縁面の一方に近い前記１個またはそれ以上の構造用パネルの前記近位側に一致して配置された第１の細長い枠組部材および前記１個またはそれ以上の構造用パネルの各々の前記縁面の異なった一方の近くの前記１個またはそれ以上の構造用パネルの前記近位側に一致して配置されている１個またはそれ以上の細長い枠組部材、
ｃ．  前記１個またはそれ以上の構造用パネルを前記枠組部材の実質的に全長さに沿って前記枠組み部材の各々に接続する複数個の周囲固着具であって、前記枠組が接続される前記１個またはそれ以上の構造用パネルの前記縁面に全体的に平行な方向に近似的に５０．８ｍｍ（２”）だけ離れて離隔されている複数個の周囲固着具、および
ｄ．  前記周囲固着具のすくなくとも１個に取り付けられた前記周囲固着具の曲げを低減する手段であって、前記横方向力が前記建築構造体に押し付けられるとき作用する前記周囲固着具の曲げを低減する手段、
を包含する機械式接続体。
【請求項２５】
建築構造体に押し付けられる横方向力に抵抗するための隔壁における改良された機械式接続体であって、該改良された機械式接続体は、
ａ．  各々が遠位側、近位側および複数個の縁面を有している１個またはそれ以上の構造用パネル、
ｂ．  前記１個またはそれ以上の構造用パネルの各々の前記縁面の一方の近くの前記１個またはそれ以上の構造用パネルの前記近位側に一致して配置された第１の細長い枠組部材および前記１個またはそれ以上の構造用パネルの各々の前記縁面の異なった一方の近くの前記１個またはそれ以上の構造用パネルの前記近位側に一致して配置されている１個またはそれ以上の第２の細長い枠組部材、
ｃ．  前記１個またはそれ以上の構造用パネルを前記枠組部材の実質的に全長に沿って前記枠組部材の各々に接続する複数個の周囲固着具であって、前記枠組部材が接続される前記１個またはそれ以上の構造用パネルの前記縁面に全体的に平行な方向に近似的に２５．４ｍｍ（１．０”）から１０１．４ｍｍ（４”）までの程度離れて離隔されている周囲固着具、および
ｄ．  前記周固着具の少なくとも１個個枠組部材の一方の前記端部の一方の近くに位置された前記周囲固着具の複数個に取り付けられた前記周囲固着具の曲げを低減する手段であって、前記隔壁を超えて延設せず、かつ前記横方向力が前記建築構造体に押し付けられるとき作用する前記周囲固着具の曲げを低減する手段、
を包含する機械式接続体。
【請求項２６】
建築構造体に押し付けられる横方向力に抵抗するための隔壁における改良された機械式接続体であって、該改良された機械式接続体は、
ａ．  遠位側、近位側および複数個の縁面を有している構造用パネル、
ｂ．  前記縁面の近くの前記構造用パネルの前記近位側に一致して配置された枠組部材および前記構造用パネルの前記縁面の一方の近くの前記構造用パネルの前記近位側に一致して配置されている第２の枠組部材であって、各々が２つの端部を有する枠組部材、
ｃ．  前記構造用パネルを前記枠組部材の各々に接続する複数個の周囲固着具、および
ｄ．  前記枠組部材の一方の前記端部の一方の近くに位置された前記周囲固着具の複数個に取り付けられた前記周囲固着具の曲げを低減する手段であって、前記隔壁を超えて延設せず、かつ前記横方向力が前記建築構造体に押し付けられるとき作用する前記周囲固着具の曲げを低減する手段、
を包含する機械式接続体。
【請求項２７】
建築構造体に押し付けられる横方向力に抵抗するための隔壁における改良された機械式接続体であって、該改良された機械式接続体は、
ａ．  各々が遠位側、近位側および複数個の縁面を有している１個またはそれ以上の構造用パネル、
ｂ．  前記１個またはそれ以上の構造用パネルの各々の前記縁面の一方の近くの前記１個またはそれ以上の構造用パネルの前記近位側に一致して配置された第１の細長い枠組部材および前記１個またはそれ以上の構造用パネルの各々の前記縁面の異なった一方の近くの前記１個またはそれ以上の構造用パネルの前記近位側に一致して配置されている１個またはそれ以上の第２の細長い枠組部材、
ｃ．  前記１個またはそれ以上の構造用パネルを前記枠組部材の実質的に全長に沿って前記枠組部材の各々に接続する複数個の周囲固着具であって、前記枠組部材が接続される前記１個またはそれ以上の構造用パネルの前記縁面に全体的に平行な方向に近似的に２５．４ｍｍ（１．０”）から１０１．４ｍｍ（４”）までの程度離れて離隔されている周囲固着具、および
ｄ．  前記周固着具の少なくとも１個個枠組部材の一方の前記端部の一方の近くに位置された前記周囲固着具の複数個に取り付けられた前記周囲固着具の曲げを低減する手段であって、前記隔壁を超えて延設せず、かつ前記横方向力が前記建築構造体に押し付けられるとき作用する前記周囲固着具の曲げを低減する手段、
を包含する機械式接続体。
【請求項２８】
建築構造体に押し付けられる横方向力に抵抗するための隔壁における改良された機械式接続体であって、該改良された機械式接続体は、
ａ．  遠位側、近位側および複数個の縁面を有している構造用パネル、
ｂ．  前記縁面の近くの前記構造用パネルの前記近位側に一致して配置された枠組部材および前記構造用パネルの前記縁面の一方の近くの前記構造用パネルの前記近位側に一致して配置されている第２の枠組部材であって、各々が２つの端部を有する枠組部材、
ｃ．  前記構造用パネルを前記枠組部材の各々に接続する複数個の周囲固着具、および
ｄ．  前記枠組部材の一方の前記端部の一方の近くに位置された前記周囲固着具の複数個に取り付けられた前記周囲固着具の曲げを低減する手段であって、前記隔壁を超えて延設せず、かつ前記横方向力が前記建築構造体に押し付けられるとき作用する前記周囲固着具の曲げを低減する手段、
を包含する機械式接続体。
【請求項２９】
請求項１、２０および２２から２８までのいずれか１項に記載の接続体において、前記周囲固着具がつめであることからなる機械式接続体。
【請求項３０】
請求項１、２０および２２から２８までのいずれか１項に記載の接続体において、前記周囲固着具が前記枠組部材を通る全ての通路を通過しないことからなる機械式接続体。
【請求項３１】
請求項１、２０および２２から２８までのいずれか１項に記載の接続体において、前記構造用パネルが木製であることからなる機械式接続体。
【請求項３２】
請求項１、２０および２２から２８までのいずれか１項に記載の接続体において、前記構造用パネルが前記縁面の全ての近くに支持されていることからなる機械式接続体。
【請求項３３】
請求項２４、２６または２７のいずれか１項に記載の接続体において、
ａ．  前記周囲固着具の曲げを低減する前記手段が前記第１の枠組部材に取付けられた複数個の前記周囲固着具に取り付けられ、そして
ｂ．  前記周囲固着具の曲げを低減する前記手段が前記第２の枠組部材に取付けられた複数個の前記周囲固着具に取り付けられる、
ことからなる機械式接続体。
【請求項３４】
請求項１および１９から２８までのいずれか１項に記載の接続体において、前記周囲固着具の曲げを低減する前記手段がライトゲージ、シートメタルから作られていることからなる機械式接続体。
【請求項３５】
建築構造体に押し付けられる横方向力に抵抗するための隔壁における改良された機械式接続体であって、該改良された機械式接続体は、
ａ．  各々が遠位側、近位側および複数個の縁面を有している１個またはそれ以上の構造用パネル、
ｂ．  前記１個またはそれ以上の構造用パネルの各々の前記縁面の一方の近くの前記１個またはそれ以上の構造用パネルの前記近位側に一致して配置された第１の細長い枠組部材、および前記１個またはそれ以上の構造用パネルの各々の前記縁面の異なった一方の近くの前記１個またはそれ以上の構造用パネルの前記近位側に一致して配置されている１個またはそれ以上の第２の細長い枠組部材、
ｃ．  前記１個またはそれ以上の構造用パネルを前記枠組部材の実質的に全長に沿って前記枠組部材の各々に接続する複数個の周囲固着具であって、前記枠組部材を通る全ての通路を通過しないことからなる複数個の周囲固着具、および
ｄ．  前記１個またはそれ以上の構造用パネルを前記枠組部材の各々に接続する前記複数個の周固着具の少なくとも数個の周囲固着具に取り付けられる前記周囲固着具の曲げを低減する手段であって、前記周囲固着具の曲げを低減する前記手段が、前記横方向力を前記建築構造体に押し付けられるとき作用し、かつ前記１個またはそれ以上の構造用パネルの前記遠位側に配置された部分を有し、そして、前記枠組部材を超えて延設しないことからなる前記周囲固着具の曲げを低減する手段、
を有する機械式接続体。
【請求項３６】
請求項３５に記載の接続体において、前記複数個の周囲固着具が蜜に離隔されていることからなる機械式接続体。
【請求項３７】
請求項３６に記載の接続体において、前記複数個の周囲固着具は、前記枠組部材が接続されている前記１個またはそれ以上の構造用パネルの前記縁面に全体的に平行な方向に離れてほぼ５０．８ｍ（２”）だけ離隔されている機械式接続体。
【請求項３８】
請求項３６に記載の接続体において、前記１個またはそれ以上の構造用パネルが木製であることからなる機械式接続体。